(57)【要約】【課題】この発明は、太鼓の主として皮革の乾燥を目的としたものである。【解決手段】この発明は、少なくとも太鼓の皮革部を被包できる大きさの覆具の内面に電熱シートを設置した太鼓乾燥具であって、電熱シートの電源は電池又は家庭用電源が利用できるので、配電の有無に拘らず発熱できるので乾燥目的を達成することができた。【選択図】図１
2008003268.tif 000002
【特許請求の範囲】
【請求項１】
少なくとも太鼓の皮革部を被包できる大きさの覆具の内面に電熱シートを設置したことを特徴とする太鼓乾燥具。
【請求項２】
覆具は、太鼓の皮革部を覆う袋状であって、口部に締紐を設けたことを特徴とする請求項１記載の太鼓乾燥具。
【請求項３】
覆具は、方形シートであって、少なくとも太鼓の皮革に近接する位置付近に電熱シートを層着し、前記方形シートの縁部に結着手段を具備させたことを特徴とする請求項１記載の太鼓乾燥具。
【請求項４】
覆具は、太鼓の打撃面を覆うキャップ状であって、該キャップの内面に電熱シートを層着したことを特徴とする請求項１記載の太鼓乾燥具。
【請求項５】
覆具は耐熱性シートであって、該シートの縁部へ、太鼓に固定する為のベルトを取付けたことを特徴とする請求項１記載の太鼓乾燥具。
【請求項６】
電熱シートは、断熱シートの上面に反射シートを層着し、反射シートの上面に繊維炭化物よりなる炭化シート又は耐熱フィルム上へ炭粒子を印刷又は塗布してなる炭化シートを層着し、前記炭化シートに電極を接続すると共に、前記炭化シートの上面に耐熱性フィルムを層着したことを特徴とする請求項１記載の太鼓乾燥具。
【請求項７】
電熱シートを熱源とする閉鎖覆具と、前記覆具内の空気を流動させる還流器と、温湿度調整器と、制御器とを組み合せたことを特徴とする太鼓乾燥装置。
【請求項８】
還流器は、給排管に送風器を介装してあり、温湿度調整器は、温度計及び湿度計の出力により、排気弁及び吸気弁の開閉としたことを特徴とする請求項６記載の太鼓乾燥装置。
【発明の詳細な説明】
【技術分野】
【０００１】
この発明は、胴部両端口部に皮革を張設した太鼓の、前記皮革部を乾燥させることを目的とした太鼓乾燥具及び装置に関する。
【背景技術】
【０００２】
従来梅雨時などに太鼓の皮革部が吸湿すると、打撃時の音程が狂い、又は叩いても正調な打撃音を生じないので、家庭用電熱器などで乾燥するのが通例であり、太鼓専用の乾燥器は知られていなかった。
【０００３】
従来三味線等の胴部に、電気加熱装置を内蔵させた三味線などの乾燥装置が知られていた。
【特許文献１】特公昭４６−４３９４２
【発明の開示】
【発明が解決しようとする課題】
【０００４】
従来太鼓の乾燥には、通常一般的な電熱器が使用されているが、専用乾燥器ではない為に、乾燥過多、不足、発火その他の事故が生じ易い問題点があった。
【０００５】
また楽器に発熱線を埋め込む提案もあるが（特許文献１）、太鼓の性質上そのようなことは困難である。
【０００６】
また電熱による専用乾燥器について考察したが類例がなく、最高、最低温度の設定すら不明の状態であるなどの幾多の問題点がある。
【０００７】
太鼓の乾燥にしても、過熱は不可であるが、熱不足でも最良の乾燥状態を得ることはむつかしい問題点があった。
【課題を解決するための手段】
【０００８】
この発明は、前記各困難性に対し、温度制御と、湿度低下による乾燥を可能にし、前記従来の問題点を解決したのである。
【０００９】
即ちこの発明は、少なくとも太鼓の皮革部を被包できる大きさの覆具の内面に電熱シートを設置したことを特徴とする太鼓乾燥具であり、覆具は、太鼓の皮革部を覆う袋状であって、口部に締紐を設けたものであり、覆具は、方形シートであって、少なくとも太鼓の皮革に近接する位置付近に電熱シートを層着し、前記方形シートの縁部に結着手段を具備させたものである。また、覆具は、太鼓の打撃面を覆うキャップ状であって、該キャップの内面に電熱シートを層着したものであり、覆具は耐熱性シートであって、該シートの縁部へ、太鼓に固定する為のベルトを取付けたものであり、電熱シートは、断熱シートの上面に反射シートを層着し、反射シートの上面に繊維炭化物よりなる炭化シート又は耐熱フィルム上へ炭粒子を印刷又は塗布してなる炭化シートを層着し、前記炭化シートに電極を接続すると共に、その上面に耐熱性フィルムを層着したものである。
【００１０】
次に他の発明は、電熱シートを熱源とする閉鎖覆具と、前記覆具内の空気を流動させる還流器と、温湿度調整器と、制御器とを組み合せたことを特徴とする太鼓乾燥装置であり、還流器は、給排管に送風器を介装してあり、温湿度調整器は、温度計及び湿度計の出力により、排気弁及び吸気弁の開閉としたものである。
【００１１】
この発明は比較的小さい太鼓の乾燥と、大太鼓の乾燥の何れにしても採用できる器具である。また人手を要する個人向けの器具と、比較的大規模の大太鼓自動乾燥装置までカバーすることができる。
【００１２】
この発明の電熱シートの電源は、電池でも、家庭用１００ｖ電源でも使用することができる。従って電池を電源とする場合は、電気設備のない場所（例えば仮設会場、野外、自動車輸送中など）であっても、随時乾燥することができる。例えば降雨中又は多湿の場所で演奏し、他の場所へ移動する時など、移動時間、休憩時間の利用が可能であり、演奏時に最良の状態を保つことができる。
【００１３】
太鼓の革は自然物であるから、急激な乾燥は好ましくなく、しかも効率よく乾燥する必要があるが、保存は吸湿しない状態におくことが好ましい。然し乍ら使用中に吸湿することは、避け難いので、このような時に速やかに通常の乾燥状態に戻す必要がある。例えば、幕間などに皮革面のみを覆うには袋などの乾燥具が好ましい。
【００１４】
常時は、空調完備の部屋又は箱内に保存すれば目的を達成できるが、費用が掛るので、大太鼓などに限られる。そこで、個々の小太鼓については、この発明の袋方式又は覆シート方式の乾燥具を使用すれば目的を達成することができる。
【発明の効果】
【００１５】
この発明は、太鼓の皮革付近又は太鼓全体を覆い、適宜温度で加温したので、少なくとも皮革付近を所定温度に保ち、一定の乾燥度を保つ効果がある。
【００１６】
また自動制御付の乾燥装置によれば、少なくとも皮革付近の温湿度を自動的に制御し、皮革を最良の状態で保存し得る効果がある。
【００１７】
また袋方式又はシート方式は手軽に何所でも使用できるので、休憩時間などの短時間でも使用できる効果がある。更に、電池を電源にすることができるので、配電のない地域でも使用できる効果がある。
【発明を実施するための最良の形態】
【００１８】
この発明は、太鼓の皮革面付近を被包できる袋の内面に電熱シートをセットした太鼓乾燥具である。この太鼓乾燥具は、乾燥すべき太鼓の皮革面及び端部に被せて、袋の口紐を締めて装着した後、電熱シートのスイッチを入れると、袋内が一定の温度（例えば６０℃〜８０℃）に加温され、緩徐に乾燥される（電熱シートは定温のものを使用）。
【００１９】
前記において、温度計と湿度計とを共用し、湿度が設定湿度（例えば４０％）になったならば、自動的に電熱シートのスイッチをＯＦＦにし、湿度の上昇（例えば７０％）により、前記スイッチをＯＮにするように、制御器をつければ、自動制御もできる。また前記袋に代えて被包シートを使用した場合も同様である。
【００２０】
また湿度と乾燥時間の関係を予め試験しておけば、タイマーを利用して一定時間の加温により、所定の湿度とすることもできる。
【実施例１】
【００２１】
この発明の実施例を図１、２、３に基づいて説明すると、断熱シート１（例えば厚さ２ｍｍ）の上面へ反射板２（アルミ箔、厚さ０．１ｍｍ）を層着し、反射板２の上面へ炭化シート３（厚さ１ｍｍ）を層着し、炭化シートの両側上面へ電極片５、５を固定すると共に、全面へ、耐熱性フィルム４を被着して、この発明の電熱シート１０を成形した（例えば方形）。
【００２２】
この電熱シート１０は、リード線６を経てプラグ７、コンセント８、電池９に接続される。前記電熱シート１０は、単位面積当りの発熱量を決めることができるので、例えば２０ｃｍ２を、６０℃にする為に単４電池４本用いるなどの方法により、電圧、電流、最高温度を定める。この発明の電熱シート１０は、太鼓１１の端部に被包する袋１２の内面へ、例えば４枚〜８枚セットされており、前記袋１２を図３の（ａ）のように太鼓１１の革面を覆うように装着し、紐１３を締めて、太鼓１１に固定する。この袋１２には、電熱シート１０が４枚〜８枚セットされており、内部空気を６０℃〜８０℃に加温して乾燥する。
【００２３】
前記袋１２の材質は、通気性布（例えば織布）で構成し、内部空気の加温により空気は自由に出入りできるようになっている。
【００２４】
そこで外部から入る空気が加温されて、袋内部の湿度を低下させ、乾燥させて外部へ排出し、ついで内部へ空気を給入する出入動作の繰り返しにより、太鼓を乾燥させることができる。
【００２５】
次に図３（ｂ）は、太鼓全体を被包シート１５で被包し、端部は端面１５ａ、１５ａとファスナー１６ａ、中央部はファスナー１６で固定したものである（図２（ｂ））。この被包シート１５にも、電熱シート１０が複数枚、例えば６枚〜８枚（図２（ｂ））セットしてあり、発熱回路のもとに、コード１７、プラグ７を経て電源１４（電池又は家庭用電源）に接続する。この発明においても、スイッチを入れ、発熱シート１０を加熱して、太鼓１１を加熱乾燥する。
【実施例２】
【００２６】
この発明の実施例を図４に基づいて説明すると、少なくとも太鼓の皮革部を被包できる被包シート３０に電熱シート１０をセットし、前記被包シート３０の一側に伸縮ベルト３１、３１の一端を接続し、他側にベルト３２、３２を接続してこの発明の乾燥具３５を得た。図中３３、３４は止具である（図４（ａ））。
【００２７】
前記におけるベルトの伸縮は普通に使用されている止枠３６（金属製又は合成樹脂製）を介装するが、止枠の構造に限定なく、ベルトを好む長さに調節できれば足りる。前記実施例は、太鼓の皮革部を一側ずつ乾燥するものである。
【００２８】
また被包シート３０ａの一側に止具３付きの伸縮ベルト３１、３１を接続し、他側に、伸縮ベルト３７、３７の一端を接続し、前記伸縮ベルト３７、３７の他端に被包シート３０ｂの一側を接続し、被包シート３０の他側にベルト３２、３２を接続してこの発明の乾燥具４０を得た（図４（ｂ））。前記実施例は、図４（ｃ）、（ｄ）に示すように、太鼓の皮革部の一方又は両方を乾燥する乾燥具である。
【００２９】
従って被包シート３０を一方に、被包シート３０ａ、３０ｂを両方に被着した後、ベルトにより太鼓に固定する。この場合に、伸縮ベルト３１又は３１と３９を適宜伸縮して太鼓の大きさに合わせ、緊密に固着する。図５（ｃ）は一方のみ乾燥する乾燥具３５の装着状態を示し、図５（ｄ）は両方を乾燥する乾燥具４０の装着状態を示す。
【００３０】
この発明の他の実施例を図５に基づいて説明すると、箱体２０（閉鎖覆具）の内面に複数の電熱シート１０をセットし、前記箱体２０内へ太鼓１１を収容して、電熱シート１０の回路のスイッチをＯＮにする。このようにして暫く（例えば５分〜１０分後）ポンプ２１のスイッチを入れる（タイマー又は手動）。図中１８は電源（電池又は家庭用電源）、２９は設定摘みである。
【００３１】
ポンプ２１のスイッチを入れると、循環パイプ２２を介して、箱体２０内の空気は矢示２３、２４のように循環する。この場合に温度センサー２５及び湿度センサー２６の出力は制御器２７に入力され、制御器２７の設定温湿度に対応し、過不足の際は、その出力を温湿度調整器２８に入力すると共に、電源１８の電流、電圧を制御し、必要に応じポンプ２１の回転を制御する。また温湿度調整器２８の出力は、電熱シート１０の入力側と接続し、電流、電圧を制御する。結局低温少湿で乾燥することにより、安全かつ確実に乾燥することができる。
【００３２】
この実施例によれば、当初の設定により最良の乾燥状態を自動的に得ることができる。
【図面の簡単な説明】
【００３３】
【図１】（ａ）この発明の電熱シートの一部を省略した一部断面拡大図、（ｂ）同じく一部を省略した平面図。
【図２】（ａ）同じく袋の実施例の斜視図、（ｂ）同じくシートの実施例の平面図。
【図３】（ａ）同じく使用状態の正面図、（ｂ）同じく他の使用状態の正面図。
【図４】（ａ）同じく他の実施例の平面図、（ｂ）同じく被包シートを二つにした実施例の平面図、（ｃ）同じく被包シートを一つ使用した装着図、（ｄ）同じく被包シートを二つ使用した装着図。
【図５】同じく他の実施例の一部を省略した説明図。
【符号の説明】
【００３４】
１  断熱シート
２  反射板
３  炭化シート
４  耐熱性フィルム
５  電極片
６  リード線
７  プラグ
８  コンセント
９  電池
１０  電熱シート
１１  太鼓
１２  袋
１３  紐
１４、１８  電源
１５  被包シート
１６  ファスナー
１７  コード
２０  箱体
２１  ポンプ
２２  パイプ
２５  温度センサー
２６  湿度センサー
２７  制御器
【図１】
2008003268.tif 000003
【図２】
2008003268.tif 000004
【図３】
2008003268.tif 000005
【図４】
2008003268.tif 000006
【図５】
2008003268.tif 000007